(57)【要約】【課題】シャッタ及びフィルタを有する紫外線照射装置において、紫外線ランプ及び被照射物の距離を近づけるとともに、フィルタの長寿命化を可能にする。【解決手段】紫外線ランプ２と、紫外線を遮断する遮断位置Ｐ１及び退避位置Ｑ１の間を移動可能に設けられたシャッタ４と、紫外線が通過する通過位置Ｐ２及び退避位置Ｑ２の間を移動可能に設けられた光学フィルタ５と、シャッタ３及び光学フィルタ５をそれぞれ移動させて、シャッタ４が遮断位置Ｐ１のとき光学フィルタ５を退避位置Ｑ２とし、光学フィルタ５が通過位置Ｐ２のときシャッタ４を退避位置Ｑ１とする移動機構６とを備える。【選択図】図１
2013240771.tif 000002
【特許請求の範囲】
【請求項１】
被照射物に紫外線を照射するための紫外線ランプと、
前記紫外線ランプを収容して、前記紫外線ランプから射出された紫外線を前記紫外線に照射するための紫外線射出窓を有する筐体と、
前記紫外線ランプと前記被照射物との間に介在して紫外線を遮断する遮断位置、及び当該遮断位置から退避した退避位置の間を移動可能に設けられたシャッタと、
前記紫外線ランプと前記被照射物との間に介在して紫外線が通過する通過位置、及び当該通過位置から退避した退避位置の間を移動可能に設けられた光学フィルタと、
前記シャッタ及び前記光学フィルタをそれぞれ移動させて、前記シャッタが遮断位置のとき前記光学フィルタを退避位置とし、前記光学フィルタが通過位置のとき前記シャッタを退避位置とする移動機構とを備える紫外線照射装置。
【請求項２】
前記移動機構が、前記シャッタ及び前記光学フィルタをスライド移動させるものであり、
前記シャッタ及び前記光学フィルタがスライド移動方向に直列に配置されている請求項１記載の紫外線照射装置。
【請求項３】
前記シャッタ及び前記光学フィルタが間隔を空けずにスライド移動方向に直列に配置されている請求項２記載の紫外線照射装置。
【請求項４】
前記シャッタ及び前記光学フィルタが間隔を空けてスライド移動方向に直列に配置されている請求項２記載の紫外線照射装置。
【請求項５】
前記間隔が、１１ｍｍ以上２１ｍｍ以下である請求項４記載の紫外線照射装置。
【請求項６】
前記紫外線射出窓と前記遮断位置にあるシャッタとの間及び前記紫外線射出窓と前記退避位置にある光学フィルタとの間の少なくとも何れかに隙間を有する請求項１乃至５の何れかに記載の紫外線照射装置。
【請求項７】
前記隙間が、１３ｍｍ以上２３ｍｍ以下である請求項６記載の紫外線照射装置。
【請求項８】
前記シャッタが、前記紫外線ランプから射出された紫外線の受光側とは反対側に設けられたシャッタ支持体に移動自在に支持されている請求項１乃至７の何れかに記載の紫外線照射装置。
【請求項９】
前記紫外線ランプが長尺状をなすものであり、
前記シャッタ及び前記光学フィルタが、前記紫外線ランプの長手方向に直交する方向にスライド移動するものである請求項１乃至８の何れかに記載の紫外線照射装置。
【請求項１０】
前記シャッタ及び前記光学フィルタが、前記紫外線ランプの長手方向に沿って延びる長尺状をなすものであり、前記シャッタ及び前記光学フィルタが、それらの長手方向が略平行となるように配置されている請求項９記載の紫外線照射装置。
【請求項１１】
前記光学フィルタが、前記シャッタに一体化されたフィルタ保持枠に交換可能に設けられている請求項１乃至１０の何れかに記載の紫外線照射装置。
【請求項１２】
前記移動機構が、前記シャッタ及び前記光学フィルタを前記紫外線ランプの周囲において回転移動させるものであり、
前記シャッタ及び前記光学フィルタが回転移動方向に直列に配置されている請求項１記載の紫外線照射装置。
【発明の詳細な説明】
【技術分野】
【０００１】
本発明は、光学フィルタ及びシャッタを有する紫外線照射装置に関するものである。
【背景技術】
【０００２】
従来の紫外線照射装置は、図８に示すように、紫外線ランプと、当該紫外線ランプを収容する筐体と、当該筐体内部に設けられて紫外線ランプからの紫外線を被照射物に反射する反射ミラーと、前記筐体の下面に形成された紫外線射出窓に設けられた例えば石英ガラスやコールドフィルタ等の光学フィルタと、この光学フィルタの下方に設けられたシャッタとを備えている。なお、光学フィルタの上方にシャッタを設けたものもある（例えば特許文献１）。
【０００３】
このように従来の紫外線照射装置は、紫外線ランプと被照射物との間に、シャッタ専用の搭載スペース及びフィルタ専用の搭載スペースが必要であり、それらスペースを確保するために紫外線ランプ及び被照射物の距離を遠ざけなければならない。このため、排気空間の増大や、紫外線ランプからの紫外線の減衰等の問題を解決するための工夫が必要となる。また、紫外線ランプと被照射物との距離を取らなければならないので、反射ミラーの焦点位置もそれに合わせて調整する必要がある。
【０００４】
特に、光学フィルタが紫外線ランプとシャッタとの間に配置されたものの場合、シャッタが閉じた状態であっても、紫外線が光学フィルタに照射されるため、光学フィルタが劣化してしまい、短寿命化してしまう恐れがある。
【先行技術文献】
【特許文献】
【０００５】
【特許文献１】特開２００８−７３５９７号公報
【発明の概要】
【発明が解決しようとする課題】
【０００６】
そこで本発明は、光学フィルタ及びシャッタを有する紫外線照射装置において、紫外線ランプ及び被照射物の距離を近づけるとともに、光学フィルタの長寿命化を可能にすることをその主たる所期課題とするものである。
【課題を解決するための手段】
【０００７】
すなわち本発明に係る紫外線照射装置は、被照射物に紫外線を照射するための紫外線ランプと、前記紫外線ランプを収容して、前記紫外線ランプから射出された紫外線を前記紫外線に照射するための紫外線射出窓を有する筐体と、前記紫外線ランプと前記被照射物との間に介在して紫外線を遮断する遮断位置、及び当該遮断位置から退避した退避位置の間を移動可能に設けられたシャッタと、前記紫外線ランプと前記被照射物との間に介在して紫外線が通過する通過位置、及び当該通過位置から退避した退避位置の間を移動可能に設けられた光学フィルタと、前記シャッタ及び前記光学フィルタをそれぞれ移動させて、前記シャッタが遮断位置のとき前記光学フィルタを退避位置とし、前記光学フィルタが通過位置のとき前記シャッタを退避位置とする移動機構とを備えることを特徴とする。
【０００８】
このようなものであれば、シャッタが遮断位置のときに光学フィルタを退避位置とし、光学フィルタが通過位置のときにシャッタを退避位置としており、紫外線ランプと被照射物との間においてシャッタ及び光学フィルタを択一的に配置させていることができる。これにより、紫外線ランプと被照射物との間に、シャッタ専用の搭載スペース及び光学フィルタ専用の搭載スペースを設ける必要が無く、それらスペースをシャッタ及び光学フィルタで共有化できるため、紫外線ランプと被照射物との間の距離を近づけることができる。また、シャッタが遮断位置にあるときに光学フィルタが退避位置にあるため、シャッタが閉じた状態で光学フィルタに紫外線が当たらないため、光学フィルタの劣化を防ぎ長寿命化が可能となる。
【０００９】
前記移動機構が、前記シャッタ及び前記光学フィルタをスライド移動させるものであり、前記シャッタ及び前記光学フィルタがスライド移動方向に直列に配置されていることが望ましい。これならば、シャッタ及び光学フィルタを同一のスライド移動方向に移動させればよいので、移動機構の構成を簡単にすることができ、紫外線照射装置をコンパクトにすることができる。
【００１０】
前記シャッタ及び前記光学フィルタは間隔を空けずにスライド移動方向に直列に配置されていることが好ましい。これならば、前記シャッタ及び前記光学フィルタが移動する際に、装置外への紫外線の漏れを確実に防止できる。
【００１１】
前記シャッタ及び前記光学フィルタが間隔を空けてスライド移動方向に直列に配置されていることが好ましい。これならば、前記シャッタの遮断位置及び前記光学フィルタの通過位置の下部から、前記シャッタ及び前記光学フィルタを空冷するための装置外部からの空気の取り込みが良くなり、従来よりもシャッタの位置を紫外線ランプに近づけても、シャッタの冷却効果が高まるため、シャッタの熱変形や、熱膨張を防止できる。また、シャッタから光学フィルタへの伝熱を低減することができる。
【００１２】
前記間隔は、１１ｍｍ以上２１ｍｍ以下であることが好ましい。これならば、前記シャッタ及び光学フィルタの冷却効果を十分としつつ、装置外への紫外線の漏れも比較的に小さくすることができる。
【００１３】
前記紫外線射出窓と前記遮断位置にあるシャッタとの間及び前記紫外線射出窓と前記退避位置にある光学フィルタとの間の少なくとも何れかに隙間を有することが好ましい。これならば、前記紫外線射出窓と前記遮断位置にあるシャッタとの間及び前記紫外線射出窓と前記退避位置にある光学フィルタとの間の隙間から、前記シャッタ及び前記光学フィルタを空冷するための装置外部からの空気の取り込みが良くなり、従来よりもシャッタの位置を紫外線ランプに近づけても、シャッタの冷却効果がさらに高まるため、シャッタの熱変形や、熱膨張を防止する効果はさらに高まる。
【００１４】
前記隙間が、１３ｍｍ以上２３ｍｍ以下であることが好ましい。これならば、前記シャッタ及び光学フィルタの冷却効果を十分としつつ、装置外への紫外線の漏れもない。
【００１５】
前記シャッタは、前記紫外線ランプから射出された紫外線の受光側に配置されたシャッタ本体部と、当該シャッタ本体部を支持するものであり、前記シャッタ支持部に対して前記受光側と反対側に設けられたシャッタ支持体とを有し、前記シャッタ本体が、前記シャッタ支持体に対して所定方向に移動自在に支持されていることが好ましい。これならば、シャッタ本体部が、紫外線の受光による熱によって熱変形や、熱膨張をした場合に、膨張方向に移動可能に支持されているので、膨張によるシャッタ本体の反りが防止できる。また、紫外線ランプとシャッタとを近づけた場合に、シャッタの反りを防止するのに有効な手段となる。
【００１６】
前記紫外線ランプが長尺状をなすものであり、前記シャッタ及び前記光学フィルタが、前記紫外線ランプの長手方向に直交する方向にスライド移動するものであることが望ましい。このようにシャッタ及び光学フィルタを長手方向に直交する方向にスライド移動させることによって、シャッタ及び光学フィルタの移動量を小さくすることができるので、短時間でシャッタ及び光学フィルタを切り替えることができるとともに、移動機構をコンパクトにすることができる。
【００１７】
前記シャッタ及び前記光学フィルタが、前記紫外線ランプの長手方向に沿って延びる長尺状をなすものであり、前記シャッタ及び前記光学フィルタが、それらの長手方向が略平行となるように一体化されていることが望ましい。これならば、シャッタ及び光学フィルタを一体化しているので、共通の移動機構により移動させることができ、移動機構を一層コンパクトにすることができる。
【００１８】
前記光学フィルタが、前記シャッタに一体化されたフィルタ保持枠に交換可能に設けられていることが望ましい。これならば、光学フィルタを交換可能にすることができる。また、フィルタ保持枠に光学フィルタを取り付けるだけで、シャッタ及び光学フィルタを一体化できるので使い勝手が良い。
【００１９】
前記シャッタ及び前記フィルタ保持枠が、冷間圧延鋼板又はアルミニウムであることが好ましい。これならば、前記シャッタや前記フィルタ保持枠の熱変形や、熱膨張を防止できる。
【発明の効果】
【００２０】
このように構成した本発明によれば、紫外線ランプと被照射物との間にシャッタ及びフィルタを択一的に配置することにより、紫外線ランプと被照射物との距離を近づけるとともに、フィルタの長寿命化を可能にすることができる。
【図面の簡単な説明】
【００２１】
【図１】本実施形態の紫外線照射装置の構成を模式的に示す断面図（シャッタが遮断位置の場合）。
【図２】同実施形態の紫外線照射装置の構成を模式的に示す断面図（光学フィルタが通過位置の場合）。
【図３】同実施形態の紫外線照射装置のシャッタ、光学フィルタ及び移動機構の構成を模式的に示す平面図。
【図４】変形実施形態の紫外線照射装置の構成を模式的に示す断面図（シャッタが遮断位置の場合）。
【図５】変形実施形態の紫外線照射装置におけるシャッタの構成を模式的に示す断面図。
【図６】変形実施形態の紫外線照射装置の構成を模式的に示す断面図（シャッタが遮断位置の場合）。
【図７】変形実施形態の紫外線照射装置の構成を模式的に示す断面図（光学フィルタが通過位置の場合）。
【図８】従来の紫外線照射装置の構成を示す模式図。
【発明を実施するための形態】
【００２２】
以下に本発明に係る紫外線照射装置の一実施形態について図面を参照して説明する。
【００２３】
本実施形態に係る紫外線照射装置１００は、例えば紙、フィルム等の基材上にＵＶインキ等を塗布してなる被照射物Ｗに対して紫外線を照射して、前記ＵＶインキ等を硬化させるために用いられるものである。
【００２４】
具体的にこの紫外線照射装置１００は、図１及び図２に示すように、長尺状の紫外線ランプ２と、当該紫外線ランプ２を収容する概略長尺直方体形状をなす筐体３とを備えている。
【００２５】
紫外線ランプ２は、長尺円筒状の放電管を有するものであり、例えば当該放電管の長手方向に沿って対向して設けられた一対の外部電極を有する誘電体バリア放電ランプである。なお、紫外線ランプ２は、その他のタイプのランプであっても良い。
【００２６】
筐体３は、被照射物Ｗに紫外線を照射するための紫外線射出窓３Ｘを下面に有する。本実施形態の紫外線射出窓３Ｘは、筐体３の下面に形成された概略長尺矩形状をなす開口である。また、筐体３の内部には、紫外線ランプ２から上方に射出された紫外線を紫外線射出窓３Ｘに反射するための反射板３１が設けられている。
【００２７】
しかして本実施形態の紫外線照射装置１００は、図１〜図３に示すように、前記筐体の紫外線射出窓３Ｘの下方に設けられたシャッタ４と、前記筐体３の紫外線射出窓３Ｘの下方に設けられた光学フィルタ５と、前記シャッタ４及び前記光学フィルタ５を移動させる移動機構６とを備えている。
【００２８】
シャッタ４は、冷間圧延鋼板又はアルミニウムから形成されており、紫外線ランプ２と被照射物Ｗとの間に位置して紫外線を遮断する遮断位置Ｐ１（図１参照）、及び遮断位置Ｐ１から退避した退避位置Ｑ１（図２参照）の間を移動可能に設けられている。
【００２９】
遮断位置Ｐ１は、紫外線ランプ２から射出された紫外線及び反射板３１により反射された紫外線の光路をシャッタ４が遮る位置である。また、退避位置Ｑ１は、紫外線ランプ２から射出された紫外線及び反射板３１により反射された紫外線の光路をシャッタ４が遮らない位置である。
【００３０】
光学フィルタ５は、紫外線ランプ２と被照射物Ｗとの間に位置して紫外線が通過する通過位置Ｐ２（図２参照）、及び通過位置Ｐ２から退避した退避位置Ｑ２（図１参照）の間を移動可能に設けられている。
【００３１】
通過位置Ｐ２は、紫外線ランプ２から射出された紫外線及び反射板３１により反射された紫外線の光路を光学フィルタ５が遮る位置である。また、退避位置Ｑ２は、紫外線ランプ２から射出された紫外線及び反射板３１により反射された紫外線の光路を光学フィルタ５が遮らない位置である。
【００３２】
ここで、前記紫外線射出窓３Ｘと前記遮断位置Ｐ１にあるシャッタ４との間及び紫外線射出窓３Ｘと前記通過位置Ｐ２にある光学フィルタ５との間は、１３ｍｍ以上２３ｍｍ以下の隙間を有している。このような隙間を設けることにより、遮断位置Ｐ１にあるシャッタ４周辺の空気の流れが円滑になるので、シャッタ４の温度上昇が抑えられる。また、通過位置Ｐ２にある光学フィルタ５周辺の空気の流れが円滑になるので、光学フィルタの温度上昇が抑えられる。結果的にシャッタ４及び光学フィルタ５を紫外線ランプ２に近づけることができ、装置をコンパクトにすることができる。この効果は、紫外線ランプ２の上方に排気装置を設けて、上方向の空気流入により冷却する機構を設けて、冷却用の空気が紫外線ランプ２より先にシャッタ４及び光学フィルタ５を冷却する場合に顕著である。
【００３３】
移動機構６は、シャッタ４を前記遮断位置Ｐ１及び退避位置Ｑ１の間で移動させるとともに、光学フィルタ５を前記通過位置Ｐ２及び退避位置Ｑ２の間で移動させるものである。
【００３４】
具体的に移動機構６は、前記シャッタ４及び前記光学フィルタ５を、紫外線ランプ２と被照射物Ｗとの間において切り替えて択一的に配置するように構成されている。より詳細に移動機構６は、紫外線ランプ２の長手方向に直交する方向で紫外線射出窓３Ｘの短手方向に沿った方向に、シャッタ４及び光学フィルタ５をスライド移動させるものである。
【００３５】
ここで、シャッタ４及び光学フィルタ５は、前記筐体３に形成された紫外線射出窓３Ｘ全体を覆うことができる形状をなすものであり、本実施形態では、ともに概略長尺形状をなすものである（図３参照）。
【００３６】
そして、シャッタ４及び光学フィルタ５は、それらの長手方向が略平行となるように一体化されている。具体的にはシャッタ４の長手方向一側面に光学フィルタ５を保持するためのフィルタ保持枠５１が連結されており、当該フィルタ保持枠５１に光学フィルタ５を取り付ける構成としている。つまり、シャッタ４及び光学フィルタ５は、紫外線ランプ２の長手方向に直交するスライド方向に直列に間隔を空けずに連結されている。これにより、移動機構６が、シャッタ４及び光学フィルタ５が移動する際に、装置外への紫外線の漏れを確実に防止できる。また、移動機構６が、シャッタ４及び光学フィルタ５からなる一体構造物をスライド移動させることによって、紫外線射出窓３Ｘの前方におけるシャッタ４の移動空間及び光学フィルタ５の移動空間が共通となる。さらに、シャッタ４が遮断位置Ｐ１から退避位置Ｑ１に移動するに連れて光学フィルタ５が退避位置Ｑ２から通過位置Ｐ２に移動する。なお、前記フィルタ保持枠５１は、前記シャッタ４と同様に、冷間圧延鋼板又はアルミニウムから形成されている。
【００３７】
このように連結されたシャッタ４及び光学フィルタ５により、本実施形態では、シャッタ４が遮断位置Ｐ１のとき光学フィルタ５が退避位置Ｑ２となり、シャッタ４が退避位置Ｑ１のとき光学フィルタ５が通過位置Ｐ２となる。逆にいえば、光学フィルタ５が通過位置Ｐ２のときシャッタ４が退避位置Ｑ１となり、光学フィルタ５が退避位置Ｑ２のときシャッタ４が遮断位置Ｐ１となる。つまり、シャッタ４の遮断位置Ｐ１と光学フィルタ５の通過位置Ｐ２とは排他的な位置関係となる。このように互いに排他的な位置関係のため、シャッタ４が遮断位置Ｐ１にあるとき、光学フィルタ５は退避位置Ｑ２にあり紫外線が当たらない。これにより、光学フィルタ５の紫外線暴露時間を短縮することができ、光学フィルタ５の劣化を防ぎ長寿命化を可能にすることができる。
【００３８】
なお、シャッタ４及び光学フィルタ５をスライド移動させる移動機構６の具体的な構成としては、シャッタ４及び光学フィルタ５からなる一体構造物の長手方向一端部及び／又は他端部に設けられており、例えば、前記一体構造物をスライド移動可能に保持するレール部材と、当該レール部材上に保持された一体構造物を移動させる例えばエアシリンダ、ボールねじ機構、ラックアンドピニオン機構、又はモータ等を有するアクチュエータとを用いたものである。
【００３９】
このように構成した本実施形態に係る紫外線照射装置１００によれば、シャッタ４が遮断位置Ｐ１のときに光学フィルタ５を退避位置Ｑ２とし、光学フィルタ５が通過位置Ｐ２のときにシャッタ４を退避位置Ｑ１としており、紫外線ランプ２と被照射物Ｗとの間においてシャッタ４及び光学フィルタ５を択一的に配置させていることができる。これにより、紫外線ランプ２と被照射物Ｗとの間に、シャッタ専用の搭載スペース及び光学フィルタ専用の搭載スペースを設ける必要が無く、それらスペースをシャッタ４及び光学フィルタ５で共有化できるため、紫外線ランプ２と被照射物Ｗとの間の距離を近づけることができる。また、シャッタ４が遮断位置Ｐ１にあるときに光学フィルタ５が退避位置Ｑ２にあるため、シャッタ４が閉じた状態で光学フィルタ５に紫外線が当たらないため、光学フィルタ５の劣化を防ぎ長寿命化が可能となる。
【００４０】
なお、本発明は前記実施形態に限られるものではない。
【００４１】
例えば、シャッタ４及び光学フィルタ５は、それらの長手方向が略平行となるように一体化されてなくてもよく、図４に示すように、シャッタ４及び光学フィルタ５１の間に１１ｍｍ以上２１ｍｍ以下の隙間Ｋを有しているものであっても良い。これならば、シャッタ４及び光学フィルタ５の冷却効果を十分としつつ、装置外への紫外線の漏れも比較的に小さくすることができる。また、シャッタ４及び光学フィルタ５の間に隙間Ｋを形成することによって、シャッタ４から光学フィルタ５への伝熱を低減することができる。
【００４２】
また、シャッタ及び光学フィルタが一体の場合には移動機構の構成を簡単化できるが、シャッタ及び光学フィルタが別体であり、それぞれに移動機構を設けたものであっても良い。この場合、シャッタが遮断位置のとき光学フィルタを退避位置とし、光学フィルタが通過位置のときシャッタを退避位置とすれば良く、同時にシャッタ及び光学フィルタを移動させなくても良い。つまり、例えばシャッタを遮断位置から退避位置に移動させた後に、光学フィルタを退避位置から通過位置に移動させるといった動作としても良い。
【００４３】
シャッタ４を、図５に示すように、紫外線ランプ２から射出された紫外線の受光側に配置されたシャッタ本体部４１と、当該シャッタ本体部４１を支持するものであり、前記シャッタ本体部４１に対して前記受光側と反対側に設けられたシャッタ支持体４２とで構成しても良い。つまり、紫外線ランプ２側からシャッタ本体部４１及びシャッタ支持部４２の順に配置された構成である。この場合、シャッタ支持体４２が移動機構６に固定される。シャッタ支持体４２は、熱による寸法変化は少ないので、シャッタ支持体４２と移動機構６との固定部の機能は、長期間維持できる。また、シャッタ本体部４１とシャッタ支持体４２とは、シャッタ支持体４２の上面に設けられたスペーサ４３等を介して互いに隙間を空けて設けられており、シャッタ本体部４１がシャッタ支持体４２に対して所定方向（図５においては、紙面左右方向（幅方向）及び紙面奥行き方向（長手方向））に移動自在に支持される構成とすることが望ましい。具体的に前記幅方向及び長手方向に移動自在に支持される構成としては、例えば、スペーサ４３に対してシャッタ本体部４１をねじ固定する構造において、シャッタ本体部４１に形成されたねじ挿通孔を例えば長孔にする等して、固定ねじのねじ軸よりも大きく形成することが考えられる。
【００４４】
また、前記実施形態では、移動機構がシャッタ及び光学フィルタを水平方向にスライド移動させるものであったが、図６及び図７に示すように、シャッタ４及び光学フィルタ５を紫外線ランプ２の周囲において回転移動させるものであっても良い。具体的に移動機構は、シャッタ４及び光学フィルタ５を紫外線ランプ２の中心軸に平行な回転軸（回転中心）回りに回転させる。これならば、シャッタ４及び光学フィルタ５を同一の回転移動方向に移動させればよいので、移動機構の構成を簡単にすることができ、紫外線照射装置をコンパクトにすることができる。
【００４５】
その他、本発明は前記実施形態に限られず、その趣旨を逸脱しない範囲で種々の変形が可能であるのは言うまでもない。
【符号の説明】
【００４６】
１００・・・紫外線照射装置
２    ・・・紫外線ランプ
３    ・・・筐体
３１  ・・・反射板
４    ・・・シャッタ
Ｐ１  ・・・遮断位置
Ｑ１  ・・・退避位置
５    ・・・光学フィルタ
５１  ・・・フィルタ保持枠
Ｐ２  ・・・通過位置
Ｑ２  ・・・退避位置
６    ・・・移動機構
【図１】
2013240771.tif 000003
【図２】
2013240771.tif 000004
【図３】
2013240771.tif 000005
【図４】
2013240771.tif 000006
【図５】
2013240771.tif 000007
【図６】
2013240771.tif 000008
【図７】
2013240771.tif 000009
【図８】
2013240771.tif 000010